(57)【要約】【課題】アイポイント近傍での見え方について、装用者ごとの個別のニーズを満たす眼鏡レンズを提供すること。【解決手段】眼鏡レンズ発注装置１は、遠景に対応する屈折力を有する遠用部と、近景に対応する屈折力を有する近用部と、遠用部と近用部との間に設けられ遠用部から近用部までの屈折力を連続的に接続する中間部とを有する眼鏡レンズにおいて、アイポイント近傍の位置に付加される加入度を決定するためのパラメータについて、任意に指定された値を入力する入力手段１５と、入力手段１５によって入力されたパラメータを眼鏡レンズ受注装置２に送信する送信手段１３と、を備える。【選択図】図２
2014085574.tif 000002
【特許請求の範囲】
【請求項１】
遠景に対応する屈折力を有する遠用部と、近景に対応する屈折力を有する近用部と、前記遠用部と前記近用部との間に設けられ前記遠用部から前記近用部までの屈折力を連続的に接続する中間部とを有する眼鏡レンズにおいて、アイポイント近傍の位置に付加される加入度を決定するためのパラメータについて、任意に指定された値を入力する入力手段と、
前記入力手段によって入力されたパラメータを眼鏡レンズ受注装置に送信する送信手段と、
を備えることを特徴とする眼鏡レンズ発注装置。
【請求項２】
請求項１に記載の眼鏡レンズ発注装置において、
前記アイポイント近傍の位置に付加される加入度を決定するためのパラメータとは、前記眼鏡レンズ全体の加入度に対する前記アイポイント近傍の位置に付加される加入度の比率、装用者が前記アイポイント近傍の位置において見たい距離、および前記アイポイント近傍の位置に付加される加入度のいずれかであることを特徴とする眼鏡レンズ発注装置。
【請求項３】
請求項１または２に記載の眼鏡レンズ発注装置において、
前記アイポイント近傍の位置とは、アイポイントの位置を含む、アイポイントから上方に前記眼鏡レンズの累進帯長の１０％分離れた位置から、アイポイントから下方に前記眼鏡レンズの累進帯長の２５％分離れた位置までの範囲内の位置であることを特徴とする眼鏡レンズ発注装置。
【請求項４】
請求項１〜３のいずれか一項に記載の眼鏡レンズ発注装置と、
前記眼鏡レンズ発注装置から送信された前記パラメータを受信する受信手段と、前記受信手段により受信されたパラメータに基づいて眼鏡レンズを設計する設計手段と、を有する眼鏡レンズ受注装置と、
を備えることを特徴とする眼鏡レンズ提供システム。
【請求項５】
遠景に対応する屈折力を有する遠用部と、近景に対応する屈折力を有する近用部と、前記遠用部と前記近用部との間に設けられ前記遠用部から前記近用部までの屈折力を連続的に接続する中間部とを有する眼鏡レンズにおいて、アイポイント近傍の位置に付加される加入度を決定するためのパラメータについて、任意に指定された値を入力する入力処理と、
前記入力処理によって入力されたパラメータを眼鏡レンズ受注装置に送信する送信処理と、
をコンピュータに実行させるための眼鏡レンズ発注プログラム。
【請求項６】
遠景に対応する屈折力を有する遠用部と、近景に対応する屈折力を有する近用部と、前記遠用部と前記近用部との間に設けられ前記遠用部から前記近用部までの屈折力を連続的に接続する中間部とを有する眼鏡レンズにおいて、任意に値が指定された、アイポイント近傍の位置に付加される加入度を決定するためのパラメータを受信する受信手段と、
前記受信手段により受信されたパラメータに基づいて眼鏡レンズを設計する設計手段と、
を備えることを特徴とする眼鏡レンズ受注装置。
【請求項７】
遠景に対応する屈折力を有する遠用部と、近景に対応する屈折力を有する近用部と、前記遠用部と前記近用部との間に設けられ前記遠用部から前記近用部までの屈折力を連続的に接続する中間部とを有する眼鏡レンズにおいて、任意に値が指定された、アイポイント近傍の位置に付加される加入度を決定するためのパラメータを、眼鏡レンズ発注装置から受信する受信処理と、
前記受信処理により受信されたパラメータに基づいて眼鏡レンズを設計する設計処理と、
をコンピュータに実行させるための眼鏡レンズ受注プログラム。
【発明の詳細な説明】
【技術分野】
【０００１】
本発明は、眼鏡レンズ発注装置、眼鏡レンズ提供システム、眼鏡レンズ発注プログラム、眼鏡レンズ受注装置および眼鏡レンズ受注プログラムに関する。
【背景技術】
【０００２】
老視による調節力の衰えを補う為の矯正用眼鏡レンズとして、装用状態において、レンズの上方に位置し遠景に対応する屈折力を有する領域である遠用部と、レンズの下方に位置し近景に対応する屈折力を有する領域である近用部と、この遠用部と近用部の中間に位置し遠用部と近用部の屈折力を連続的に滑らかに変化させて接続する領域である中間部とを備えた累進屈折力レンズが知られている。
【０００３】
累進屈折力レンズの種類として、中近用の累進屈折力レンズ（以下、中近用レンズと記載する）という種類が知られている。中近用レンズは、レンズのアイポイント近傍で中間距離（０．５ｍ〜２．０ｍ程度）を見ることに適した設計が施されたレンズであり、アイポイントにおいても加入度が付加されたレンズである。
【先行技術文献】
【特許文献】
【０００４】
【特許文献１】特開２０１０−１４５６３７号公報
【発明の概要】
【発明が解決しようとする課題】
【０００５】
従来の中近用レンズにおいて、レンズ全体の加入度に対するアイポイントでの加入度の比率は、指定された遠用度数、レンズ全体の加入度および累進帯長から一義的に決められたり、眼鏡レンズ製品ごとに固定されていたりしていた。そのため、アイポイント近傍での見え方について、装用者ごとの個別のニーズを満たすことができなかった。
【課題を解決するための手段】
【０００６】
（１）請求項１に記載の発明による眼鏡レンズ発注装置は、遠景に対応する屈折力を有する遠用部と、近景に対応する屈折力を有する近用部と、遠用部と近用部との間に設けられ遠用部から近用部までの屈折力を連続的に接続する中間部とを有する眼鏡レンズにおいて、アイポイント近傍の位置に付加される加入度を決定するためのパラメータについて、任意に指定された値を入力する入力手段と、入力手段によって入力されたパラメータを眼鏡レンズ受注装置に送信する送信手段と、を備えることを特徴とする。
（２）請求項４に記載の発明による眼鏡レンズ提供システムは、請求項１〜３のいずれか一項に記載の眼鏡レンズ発注装置と、眼鏡レンズ発注装置から送信されたパラメータを受信する受信手段と、受信手段により受信されたパラメータに基づいて眼鏡レンズを設計する設計手段と、を有する眼鏡レンズ受注装置と、を備えることを特徴とする。
（３）請求項５に記載の発明による眼鏡レンズ発注プログラムは、遠景に対応する屈折力を有する遠用部と、近景に対応する屈折力を有する近用部と、遠用部と近用部との間に設けられ遠用部から近用部までの屈折力を連続的に接続する中間部とを有する眼鏡レンズにおいて、アイポイント近傍の位置に付加される加入度を決定するためのパラメータについて、任意に指定された値を入力する入力処理と、入力処理によって入力されたパラメータを眼鏡レンズ受注装置に送信する送信処理と、をコンピュータに実行させることを特徴とする。
（４）請求項６に記載の発明による眼鏡レンズ受注装置は、遠景に対応する屈折力を有する遠用部と、近景に対応する屈折力を有する近用部と、遠用部と近用部との間に設けられ遠用部から近用部までの屈折力を連続的に接続する中間部とを有する眼鏡レンズにおいて、任意に値が指定された、アイポイント近傍の位置に付加される加入度を決定するためのパラメータを、眼鏡レンズ発注装置から受信する受信手段と、受信手段により受信されたパラメータに基づいて眼鏡レンズを設計する設計手段と、を備えることを特徴とする。
（５）請求項７に記載の発明による眼鏡レンズ受注プログラムは、遠景に対応する屈折力を有する遠用部と、近景に対応する屈折力を有する近用部と、遠用部と近用部との間に設けられ遠用部から近用部までの屈折力を連続的に接続する中間部とを有する眼鏡レンズにおいて、任意に値が指定された、アイポイント近傍の位置に付加される加入度を決定するためのパラメータを受信する受信処理と、受信処理により受信されたパラメータに基づいて眼鏡レンズを設計する設計処理と、をコンピュータに実行させることを特徴とする。
【発明の効果】
【０００７】
本発明によれば、アイポイント近傍での見え方について、装用者ごとの個別のニーズを満たす眼鏡レンズを提供することができる。
【図面の簡単な説明】
【０００８】
【図１】本発明の一実施の形態に係る累進屈折力レンズの概要を示す図である。
【図２】本発明の一実施の形態に係る眼鏡レンズ提供システムの構成を示す図である。
【図３】眼鏡レンズを提供する手順を説明するフローチャートである。
【図４】発注画面の一例を示す図である。
【図５】中近用レンズの加入度の変化例を示す図である。
【発明を実施するための形態】
【０００９】
以下、図面を参照して本発明の一実施の形態について説明する。以下の記載において、屈折力の単位は、特に言及しない場合にはディオプター（Ｄ）によって表されるものとする。また、以下の説明において、累進屈折力レンズの「上方」、「下方」、「上部」、「下部」等と表記する場合は、当該累進屈折力レンズが眼鏡用に加工される場合において眼鏡を装用したときのレンズの位置関係に基づくものとする。以下の各図面においても、レンズの位置関係（上下左右）は、紙面における位置関係（上下左右）と一致するものとする。
【００１０】
図１は本実施形態に係る累進屈折力レンズの概要を示す図である。図１に示すように、累進屈折力レンズＬＳは、眼鏡用フレームの形状に合わせてレンズを加工する前の状態（玉摺り加工前の状態）になっており、平面視で円形に形成されている。累進屈折力レンズＬＳは、図中上側が装用時において上方に配置されることとなり、図中下側が装用時において下方に配置されることとなる。累進屈折力レンズＬＳは、遠用部Ｆと、近用部Ｎと、中間部Ｐとを有している。本実施形態に係る累進屈折力レンズＬＳは、中近用の累進屈折力レンズ（以下、中近用レンズＬＳと記載する）と呼ばれる種類の累進屈折力レンズである。
【００１１】
遠用部Ｆは、中近用レンズＬＳの上部に配置されており、当該中近用レンズＬＳが眼鏡用に加工された後には遠景に対応する屈折力を有する部分となる。近用部Ｎは、中近用レンズＬＳの下部に配置されており、当該中近用レンズＬＳが眼鏡用に加工された後には近景に対応する屈折力を有する部分となる。中間部Ｐは、中近用レンズＬＳのうち遠用部Ｆと近用部Ｎの中間に配置されており、遠用部Ｆと近用部Ｎとの間の屈折力を連続的に滑らかに変化させて接続する部分である。
【００１２】
中近用レンズＬＳは、複数の基準点を有している。このような基準点として、例えば、図１に示すように、アイポイント（フィッティングポイントとも呼ばれる）ＥＰ、遠用基準点ＦＶ、近用基準点ＮＶなどが挙げられる。アイポイントＥＰは、装用者がレンズを装用する時の基準点となる。遠用基準点ＦＶは、レンズの遠用度数を測定する測定基準点となる。近用基準点ＮＶは、近用部Ｎにおいてレンズの近用度数を測定する測定基準点となる。遠用基準点ＦＶでの屈折力は、例えば、処方により指定された遠用度数（以下、遠用処方度数と記載する）に基づいて設定される。近用基準点ＮＶでの屈折力は、例えば、処方により指定された加入度（以下、処方加入度と記載する）と遠用処方度数とに基づいて設定される。
【００１３】
本実施形態に係る中近用レンズＬＳは、レンズのアイポイントＥＰ付近で中間距離を見ることに適した設計が施されたレンズである。中近用レンズＬＳでは、遠用基準点ＦＶがアイポイントＥＰよりも上方に配置されており、アイポイントＥＰにおいても加入度が付加されている。
【００１４】
従来の中近用レンズでは、処方加入度（レンズ全体の加入度）に対するアイポイントでの加入度の比率（以下、加入度比率と記載する）は、指定された遠用処方度数、処方加入度および累進帯長から設計者側で一義的に決められたり、眼鏡レンズ製品ごとに固定されていたりしていた。例えば、アイポイントでの加入度比率が４０％と固定された眼鏡レンズ製品では、装用者に応じた遠用処方度数、処方加入度および累進帯長に合わせて眼鏡レンズが設計されるが、アイポイントでの加入度比率は装用者によらず一律で４０％となるように眼鏡レンズが設計される。そのため、アイポイントでの見え方については、装用者ごとの個別のニーズを眼鏡レンズの設計に反映させることができなかった。そこで、本実施形態では、アイポイントでの見え方に対する装用者の個別のニーズを満足させるため、アイポイントでの加入度比率について、装用者の個別のニーズに応じた任意の値を設定して、中近用レンズの設計を行うようになっている。
【００１５】
例えば、装用者が有する調節力（実際に使用される調節力）が２．００Ｄであり、装用者の遠用処方度数が０．００Ｄであり、処方加入度が２．００Ｄである場合を一例にして考えてみる。この場合、アイポイントでの加入度比率が例えば４０％であるとすると、アイポイントにおいて、調節力を全く働かせない状態での屈折力が０．８０Ｄとなり、調節力を最大に働かせた状態での屈折力が２．８０Ｄとなる。したがって、アイポイントでの遠点は１２５ｃｍとなり、近点は３６ｃｍとなる。なお、遠点とは、調節力を全く働かせない状態でピントの合う位置であり、近点とは、調節力を最大に働かせた状態でピントの合う位置である。
【００１６】
ここで、装用者は、アイポイントで見える最も近い距離は４０ｃｍ程度でよく、アイポイントで１２５ｃｍよりも遠くを見たいというニーズを持っている場合について考える。この場合、アイポイントでの加入度比率を、例えば２５％に変更すると、アイポイントにおいて、調節力を全く働かせない状態での屈折力が０．５０Ｄとなり、調節力を最大に働かせた状態での屈折力が２．５０Ｄとなる。したがって、アイポイントでの遠点は２００ｃｍとなり、近点は４０ｃｍとなるため、アイポイントでより遠くを見たいという装用者のニーズを満足することができる。
【００１７】
一方、装用者は、アイポイントで見える距離を３６ｃｍよりも近くしたいというニーズを持っている場合について考える。この場合、アイポイントでの加入度比率を例えば５０％に変更すると、アイポイントにおいて、調節力を全く働かせない状態での屈折力が１．００Ｄとなり、調節力を最大に働かせた状態での屈折力が３．００Ｄとなる。したがって、アイポイントでの遠点は１００ｃｍとなり、近点は３３ｃｍとなるため、アイポイントでより近くを見たいという装用者のニーズを満足することができる。
【００１８】
このように、本実施形態に係る中近用レンズでは、装用者の個別のニーズに応じてアイポイントでの加入度比率を設定することで、処方加入度を変えることなく、アイポイントでの見える距離に関する装用者ごとの個別のニーズを満足することができるようになっている。
【００１９】
次に、本実施形態に係る眼鏡レンズ提供システムについて説明する。本実施形態に係る眼鏡レンズ提供システムは、上述したように装用者の個別のニーズに応じてアイポイントでの加入度比率を設定して設計した中近用レンズを提供することができるシステムである。
【００２０】
図２は、本実施形態に係る眼鏡レンズ提供システムの構成を示す図である。眼鏡レンズ提供システムは、眼鏡店側に設置される発注装置１と、レンズメーカ側に設置される受注装置２、加工機制御装置３、および眼鏡レンズ加工機４と、を含んで構成される。発注装置１と受注装置２は、例えばインターネットなどのネットワーク５を介して通信可能に接続されている。また、受注装置２には、加工機制御装置３が接続されており、加工機制御装置３には眼鏡レンズ加工機４が接続されている。なお、図２では、図示の都合上、発注装置１を１つのみ記載しているが、実際には複数の眼鏡店に設置された複数の発注装置１が受注装置２に接続されている。
【００２１】
発注装置１は、眼鏡レンズの発注処理を行うコンピュータであり、制御部１１と、記憶部１２と、通信部１３と、表示部１４と、入力部１５と、を含む。制御部１１は、記憶部１２に記憶されたプログラムを実行することにより、発注装置１を統括して制御する。通信部１３は、受注装置２とネットワーク５を介して通信を行う。表示部１４は、例えばＣＲＴ等や液晶ディスプレイ等の表示装置であり、発注する眼鏡レンズの情報（発注情報）を入力するための発注画面などを表示する。入力部１５は、例えばマウスやキーボードなどを含む。例えば、入力部１５を介して、発注画面の内容に応じた発注情報が入力される。
【００２２】
受注装置２は、眼鏡レンズの受注処理や設計処理、光学性能の演算処理などを行うコンピュータであり、制御部２１と、記憶部２２と、通信部２３と、表示部２４と、入力部２５とを含んで構成される。制御部２１は、記憶部２２に記憶されたプログラムを実行することにより、受注装置２を統括して制御する。通信部２３は、発注装置１とネットワーク５を介して通信を行ったり、加工機制御装置３と通信を行ったりする。記憶部２２は、眼鏡レンズ設計のための各種データを読み出し可能に記憶する。表示部２４は、例えばＣＲＴ等や液晶ディスプレイ等の表示装置であり、眼鏡レンズの設計結果などを表示する。入力部２５は、例えばマウスやキーボードなどを含む。
【００２３】
次に、眼鏡レンズ提供システムにおいて、眼鏡レンズを提供する手順について、図３に示すフローチャートを用いて説明する。図３の左側には眼鏡店側で行う手順を示し、図３の右側にはレンズメーカ側で行う手順を示す。ステップＳ１において、発注者は、注文する眼鏡レンズの発注情報を決定する。そして、発注者は、発注装置１の表示部１４に発注画面を表示させ、入力部１５を介して発注情報を入力する。
【００２４】
図４は、発注画面１００の一例を示す図である。レンズ情報項目１０１では、注文するレンズの商品名、球面度数（Ｓ度数）、乱視度数（Ｃ度数）、乱視軸度、加入度などのレンズ注文度数に関連する項目を入力する。加工指定情報項目１０２は、注文するレンズの外径を指定する場合や、任意点厚さを指定する場合に利用される。染色情報項目１０３は、レンズの色を指定する場合に利用される。アイポイント情報１０４は、装用者の目の位置情報を入力する。フレーム情報項目１０５では、フレームモデル名、フレーム種別等を入力する。
【００２５】
また、注文するレンズが上述した中近用レンズの場合には、発注画面１００にさらに加入度比率情報項目１０６が表示される。加入度比率情報項目１０６は、アイポイントでの加入度比率を指定するための領域であり、所定の範囲（例えば１５〜５０％）で任意の値を入力することができる。アイポイントでの加入度比率については、例えば、眼鏡店の販売員（注文者）が顧客（装用者）のニーズをヒアリングし、顧客のニーズに合った加入度比率を決定する。例えば、上述したように、顧客がアイポイントで見たい距離をヒアリングし、その距離に応じて加入度比率を決定する。アイポイントで見たい距離が近くなるほど加入度比率を高くし、アイポイントで見たい距離が遠くなるほど加入度比率が低くなるように決定する。
【００２６】
発注者が、図４の発注画面１００の各項目を入力し、送信ボタン（不図示）をクリックすると、発注装置１は、発注画面１００の各項目において入力された情報（発注情報）を取得して、ステップＳ１２に進む。ステップＳ１２において、発注装置１は、当該発注情報を、通信部１３を介して受注装置２へ送信する。
【００２７】
なお、発注装置１において、発注画面１００を表示する処理、発注画面１００において入力された発注情報を取得する処理、当該発注情報を受注装置２に送信する処理については、発注装置１の制御部１１が、記憶部１２に予めインストールされた所定のプログラムを実行することによって行う。
【００２８】
ステップＳ２１において、受注装置２は、通信部２３を介して、発注装置１から発注情報を受信すると、ステップＳ２２に進む。ステップＳ２２において、受注装置２の制御部２１は、受信した発注情報に基づいて眼鏡レンズの設計を行う。
【００２９】
具体的には、設計するレンズが上述した中近用レンズの場合には、受注装置２は、レンズ全体の加入度が発注情報により指定された加入度を満たし、且つ、発注情報により指定された加入度比率によって決定される加入度がアイポイントにおいて付加されるように眼鏡レンズの設計を行う。
【００３０】
例えば、図５に示すグラフは、発注情報により指定された加入度（すなわちレンズ全体の加入度）が２．００Ｄであり、発注情報により指定された加入度比率がそれぞれ１５％、２５％、４０％、５０％である場合について、受注装置２により設計される中近用レンズの加入度の変化例を示すグラフである。なお、グラフの縦軸が加入度（Ｄ）を示し、グラフの横軸が図１の上下方向をＹ軸としたＹ座標での位置を示す。
【００３１】
例えば、発注情報により指定された加入度比率が１５％である中近用レンズでは、加入度比率によって決定されるアイポイントＥＰでの加入度は０．３０Ｄである。ゆえに、受注装置２は、遠用基準点ＦＶでの加入度が０．００Ｄ、アイポイントＥＰでの加入度が０．３０Ｄ、近用基準点ＮＶでの加入度が２．００Ｄを満たし、遠用基準点ＦＶからアイポイントＥＰを通り近用基準点ＮＶまでの加入度の変化が滑らかになるように、眼鏡レンズの設計を行う。
【００３２】
受注装置２は、発注情報により指定された加入度比率がそれぞれ２５％、４０％、５０％である中近用レンズでも同様に、遠用基準点ＦＶ、アイポイントＥＰ、近用基準点ＮＶにおいて、発注情報により指定された加入度および加入度比率を満たし、且つ加入度の変化が滑らかになるように眼鏡レンズの設計を行う。また、受注装置２は、この他の光学性能（例えば、遠用度数、非点収差、ディストーションなど）についても、目標とする光学性能を満たすように眼鏡レンズの設計を行う。
【００３３】
なお、受注装置２は、指定された遠用度数、レンズ全体の加入度、および累進帯長などを考慮すると、指定された加入度比率では、適切な眼鏡レンズを設計することができない場合（例えば、目標とする光学性能を達成できない場合や眼鏡レンズの加工に適さない場合など）には、その旨を示す情報を発注装置１に送信し、再度、発注者に加入度比率の指定を促すようにしてもよい。
【００３４】
ステップＳ２３において、受注装置２は、ステップＳ２２で設計した眼鏡レンズの設計データを加工機制御装置３に出力する。加工機制御装置３は、受注装置２から出力された設計データに基づいて、眼鏡レンズ加工機４に加工指示を送る。この結果、眼鏡レンズ加工機４によって、当該設計データに基づく眼鏡レンズが加工され、製造される。そして、眼鏡レンズ加工機４によって製造された眼鏡レンズが眼鏡店に出荷され、眼鏡フレームにはめ込まれて顧客に提供される。
【００３５】
なお、受注装置２において、発注装置１から発注情報を受信する処理、受信した発注情報に基づいて眼鏡レンズを設計する処理、眼鏡レンズの設計データを加工機制御装置３に出力する処理については、受注装置２の制御部２１が、記憶部２２に予めインストールされた所定のプログラムを実行することによって行う。
【００３６】
以上説明した実施の形態によれば、次の作用効果が得られる。
本実施形態の発注装置１は、遠景に対応する屈折力を有する遠用部と、近景に対応する屈折力を有する近用部と、遠用部と近用部との間に設けられ遠用部から近用部までの屈折力を連続的に接続する中間部とを有する眼鏡レンズにおいて、眼鏡レンズ全体の加入度に対するアイポイントに付加される加入度の比率（加入度比率）について、任意に指定された値を入力する入力部１５と、入力部１５によって入力された加入度比率を受注装置２に送信する通信部１３と、を備える。また、本実施形態の受注装置２は、発注装置１から送信された加入度比率を受信する通信部２３と、通信部２３により受信された加入度比率に基づいて眼鏡レンズ（中近用レンズ）を設計する制御部２１と、を備える。このように、発注装置１ではアイポイントでの加入度比率について装用者の所望に応じた値を指定して中近用レンズを発注し、受注装置２では当該指定された加入度比率を満たすように中近用レンズを設計することで、アイポイントでの見え方について、装用者ごとの個別のニーズを満たす中近用レンズを提供することができる。
【００３７】
（変形例１）
上述した実施の形態では、中近用レンズにおけるアイポイントでの加入度比率について、装用者の所望に応じた任意の値を指定する例について説明したが、これに限らなくてよく、アイポイントに付加される加入度を決定するためのパラメータであればこの他のパラメータを指定するようにしてもよい。例えば、アイポイントに付加される加入度の値を直接指定するようにしてもよいし、装用者がアイポイントにおいて見たい距離を指定するようにしてもよい。装用者がアイポイントにおいて見たい距離が指定された場合には、中近用レンズの設計時において、当該指定された距離が視認可能となる加入度をアイポイントに付加するようにすればよい。
【００３８】
（変形例２）
上述した実施の形態では、中近用レンズにおけるアイポイントでの加入度比率について、装用者の所望に応じた任意の値を指定する例について説明した。しかしながら、加入度比率を指定する位置は、アイポイントに限らなくてよく、アイポイント近傍の位置であればよい。なお、アイポイント近傍の位置とは、例えば、アイポイントの位置を含む、アイポイントから上方に中近用レンズの累進帯長の１０％分離れた位置から、アイポイントから下方に中近用レンズの累進帯長の２５％分離れた位置までの範囲内の位置である。
【００３９】
（変形例３）
上述した実施の形態では、発注装置１および受注装置２において実行されるプログラムがそれぞれ予めインストールされている例で説明をしたが、この内容に限定する必要はない。実行されるプログラムやそのインストールプログラムをＣＤ−ＲＯＭなどの記録媒体で提供してもよい。なお、記録媒体はＣＤ−ＲＯＭに限定する必要はなく、ＤＶＤ、磁気テープ、フレキシブルディスクやその他のあらゆる記録媒体を使用するようにしてもよい。
【００４０】
さらに、それらのプログラムをインターネットなどに代表される通信回線などの伝送媒体を介して提供することも可能である。すなわち、プログラムを、通信回線を伝送する信号に変換して送信することも可能である。発注装置１および受注装置２はネットワーク５に接続されているので、ネットワーク５を介して他のプログラムサーバコンピュータからプログラムの提供を受ければよい。
【００４１】
また、上記実施の形態では、発注装置１において所定のプログラムを実行する例で説明したが、この内容に限定する必要はない。例えば、レンズメーカの受注装置２が全ての情報をＷｅｂ画面で提示するようにしてもよい。発注装置１はブラウザソフトをインストールしておくだけでよく、受注装置２から送信されてくるＷｅｂ画面の指示に従って、発注情報を入力するようにすればよい。
【００４２】
以上の説明はあくまで一例であり、上記の実施形態の構成に何ら限定されるものではない。また、上記実施形態に各変形例の構成を適宜組み合わせてもかまわない。
【符号の説明】
【００４３】
１…発注装置、２…受注装置、３…加工機制御装置、４…眼鏡レンズ加工機、５…ネットワーク、１１、２１…制御部、１２、２２…記憶部、１３、２３…通信部、１４、２４…表示部、１５、２５…入力部
【図１】
2014085574.tif 000003
【図２】
2014085574.tif 000004
【図３】
2014085574.tif 000005
【図４】
2014085574.tif 000006
【図５】
2014085574.tif 000007